(57)【要約】【課題】  折曲片が板に対して折り曲げられた状態で安定して維持することができる技術を提供する。【解決手段】  トレー１００は、短側板１２の上端辺に回動可能に連結されている第１折曲片２２と、短側板１２の両側のそれぞれに隣接する長側板１６，１８の上端辺に回動可能に連結されている第２折曲片２６，２８と、第１折曲片２２と第２折曲片２６，２８とを連結する連結片６２，６６と、を備える。トレー１００は、延伸状態と折曲状態とに変形可能であり、連結片６２，６６は、延伸状態では、第１折曲片２２及び第２折曲片２６，２８とともに底板１０の周方向に並んで配置され、折曲状態では、第１折曲片２２の端辺から下方に延びて第２折曲片２６，２８の長側板１６，１８と反対側に重なって配置される。【選択図】  図４
2018047939.tif 000002
【特許請求の範囲】
【請求項１】
底板と、
前記底板の各辺に連結されており、前記底板の周囲を囲む複数枚の側板と、
前記複数枚の側板のうち、第１側板の上端辺に回動可能に連結されている第１折曲片と、
前記第１側板の両側のそれぞれに隣接する第２側板の上端辺に回動可能に連結されている第２折曲片と、
前記第１折曲片の前記第２折曲片側の端辺と前記第２折曲片の前記第１折曲片側の端辺とを連結する連結片と、を備え、
前記第１折曲片が前記第１側板に対して上方に延びており、前記第２折曲片が前記第２側板に対して上方に延びている延伸状態と、前記第１折曲片が前記底板に対向して配置されており、前記第２折曲片が前記第２側板の内側又は外面に対向して配置されている折曲状態と、に変形可能であり、
前記連結片は、前記延伸状態では、前記第１折曲片及び前記第２折曲片とともに前記底板の周方向に並んで配置され、前記折曲状態では、前記第１折曲片の端辺から下方に延びて前記第２折曲片の前記第２側板と反対側に重なって配置される、トレー。
【請求項２】
前記第２側板と前記第２折曲片との境界は、部分的に切断されている、請求項１に記載のトレー。
【請求項３】
前記第１折曲片と前記連結片とは、前記連結片から前記第１折曲片の内面側に延びる接着片によって接着されており、
前記接着片は、前記第１折曲片の前記内面から前記第１側板の内面まで連続的に接着されており、
前記接着片に重複する前記第１側板と前記第１折曲片との境界には、切欠きが配置されている、請求項１又は２に記載のトレー。
【請求項４】
前記底板は、４辺で構成されており、
前記複数枚の側板は、互いに対向する一対の前記第１側板と、前記一対の前記第１側板の両端に位置する一対の前記第２側板と、で構成されている、請求項１から３のいずれか一項に記載のトレー。
【請求項５】
前記折曲状態では、前記一対の前記第１側板に連結されている一対の前記第１折曲片の間隔が、前記底板の長手方向の長さよりも短い、請求項４に記載のトレー。
【請求項６】
前記延伸状態では、前記連結片は、前記第１側板と前記第２側板との間の角部の延長線上で屈曲しており、
前記折曲状態では、前記連結片と前記第１折曲片との境界、及び、前記連結片と前記第２折曲片との境界のそれぞれが屈曲している、請求項１から５のいずれか一項に記載のトレー。
【請求項７】
前記第１折曲片は、開口を有する、請求項１から６のいずれか一項に記載のトレー。
【発明の詳細な説明】
【技術分野】
【０００１】
本明細書は、トレーに関する。
【背景技術】
【０００２】
特許文献１には、底板と、底板の各辺から延びる側板と、を有するトレーが開示されている。このトレーは、側板の上辺から上方に延びる強化片を有する。強化片は、トレーの内方に折り曲げられることによって、側板が補強される。これにより、トレーを安定して保持することができる。
【先行技術文献】
【特許文献】
【０００３】
【特許文献１】特開２００９−２９４５７号公報
【発明の概要】
【発明が解決しようとする課題】
【０００４】
上記のトレーでは、強化片は、側板に対して単に折り曲げられる構成であるため、強化片を折り曲げた状態で維持することが難しい場合がある。本明細書では、折曲片が板に対して折り曲げられた状態で安定して維持することができる技術を提供する。
【課題を解決するための手段】
【０００５】
本明細書で開示される技術は、トレーに関する。トレーは、底板と、前記底板の各辺に連結されており、前記底板の周囲を囲む複数枚の側板と、前記複数枚の側板のうち、第１側板の上端辺に回動可能に連結されている第１折曲片と、前記第１側板の両側のそれぞれに隣接する第２側板の上端辺に回動可能に連結されている第２折曲片と、前記第１折曲片の前記第２折曲片側の端辺と前記第２折曲片の前記第１折曲片側の端辺とを連結する連結片と、を備える。トレーは、前記第１折曲片が前記第１側板に対して上方に延びており、前記第２折曲片が前記第２側板に対して上方に延びている延伸状態と、前記第１折曲片が前記底板に対向して配置されており、前記第２折曲片が前記第２側板の内面又は外面に対向して配置されている折曲状態と、に変形可能である。前記連結片は、前記延伸状態では、前記第１折曲片及び前記第２折曲片とともに前記底板の周方向に並んで配置され、前記折曲状態では、前記第１折曲片の端辺から下方に延びて前記第２折曲片の前記第２側板と反対側に重なって配置される。
【０００６】
上記の構成によれば、折曲状態では、第１折曲片は、連結片によって第１側板に対して回動することが抑制されている。また、折曲状態では、連結片は、第２折曲片によって、第１折曲片の下方に拘束されている。これにより、第１折曲片が第１側板に対して折り曲げられた状態で安定して維持することができる。この結果、第１折曲片を第１側板に対して折り曲げた状態で、安定して、トレーの撓みを抑制することができる。
【０００７】
前記第２側板と前記第２折曲片との境界は、部分的に切断されていてもよい。この構成によれば、延伸状態と折曲状態との間で変形させる際に、第２折曲片を第２側板に対して容易に回動させることができる。
【０００８】
前記第１折曲片と前記連結片とは、前記連結片から前記第１折曲片の内面側に延びる接着片によって接着されていてもよい。前記接着片は、前記第１折曲片の前記内面から前記第１側板の内面まで連続的に接着されていてもよい。前記接着片に重複する前記第１側板と前記第１折曲片との境界には、切欠きが配置されていてもよい。この構成によれば、接着片を第１側板と第１折曲片との広範囲に亘って接着することができる。このため、連結片と第１折曲片とを強固に連結することができる。また、切欠きを配置することによって、延伸状態と折曲状態との間で変形させる際に、接着片の折り曲げ部分が第１側板と第１折曲片との境界に干渉することを抑制することができる。これにより、第１折曲片を第１側板に対して容易に回動させることができる。
【０００９】
前記底板は、４辺で構成されていてもよい。前記複数枚の側板は、互いに対向する一対の前記第１側板と、前記一対の前記第１側板の両端に位置する一対の前記第２側板と、で構成されていてもよい。この構成によれば、折曲状態では、一対の第１側板のそれぞれを第１折曲片によって補強し、一対の第２側板のそれぞれを第２折曲片によって補強することができる。また、第１側板と第２側板との連結部分を、第１折曲片と第２折曲片との連結によって補強することができる。この結果、トレーのどの側板を把持しても、トレーを安定して保持することができる。
【００１０】
前記折曲状態では、前記一対の前記第１側板に連結されている一対の前記第１折曲片の間隔が、前記底板の長手方向の長さよりも短くてもよい。この構成によれば、折曲状態の複数個のトレーを重ねて配置することができる。
【００１１】
前記延伸状態では、前記連結片は、前記第１側板と前記第２側板との間の角部の延長線上で屈曲していてもよい。前記折曲状態では、前記連結片と前記第１折曲片との境界、及び、前記連結片と前記第２折曲片との境界のそれぞれが屈曲していてもよい。
【００１２】
前記第１折曲片は、開口を有していてもよい。この構成によれば、例えば、開口に容器等の対象物を挿入することによって、トレーに対象物を固定することができる。
【図面の簡単な説明】
【００１３】
【図１】第１実施例のトレーの折曲状態の正面斜視図を示す。
【図２】第１実施例のトレーの折曲状態の平面図を示す。
【図３】第１実施例のトレーの折曲状態の正面図を示す。
【図４】第１実施例のトレーの展開図を示す。
【図５】第１実施例のトレーの延伸状態の正面斜視図を示す。
【図６】第１実施例のトレーの延伸状態の平面図を示す。
【図７】第１実施例のトレーの折曲状態と延伸状態との変形途中の中間状態の正面斜視図を示す。
【図８】第１実施例の延伸状態のトレーを積み重ねた場合の正面斜視図を示す。
【図９】第１実施例の折曲状態のトレーを積み重ねた場合の正面斜視図を示す。
【図１０】第２実施例のトレーの折曲状態の正面斜視図を示す。
【図１１】第２実施例のトレーの延伸状態の正面斜視図を示す。
【図１２】第２実施例のトレーの展開図を示す。
【図１３】第３実施例のトレーの折曲状態の正面斜視図を示す。
【図１４】第３実施例のトレーの延伸状態の正面斜視図を示す。
【図１５】第３実施例のトレーの展開図を示す。
【図１６】第４実施例のトレーの折曲状態の正面斜視図を示す。
【図１７】第４実施例のトレーの折曲状態の平面図を示す。
【図１８】第４実施例のトレーの延伸状態の正面斜視図を示す。
【図１９】第４実施例のトレーの延伸状態の平面図を示す。
【図２０】第４実施例のトレーの展開図を示す。
【図２１】変形例のトレーの折曲状態の正面斜視図を示す。
【図２２】変形例のトレーの延伸状態の正面斜視図を示す。
【実施例】
【００１４】
（第１実施例）
図１はトレー１００の折曲状態の正面斜視図を、図２はトレー１００の折曲状態の平面図を、図３はトレー１００の折曲状態の正面図を、図４はトレー１００の展開図を、それぞれ示す。なお、展開図では、折曲線は破線で表されている。トレー１００は、主に果実やお菓子等の食品を収容するために用いられる。なお、トレー１００は、食品以外の対象物を収容してもよい。図４に示すように、トレー１００は、１枚の平板状の紙製（例えば厚紙、段ボール紙等）ブランクＢＬ１から作製される。なお、実施例では、説明を容易にするために、上下前後左右方向が定義されている。
【００１５】
トレー１００は、底板１０と、一対の短側板１２，１４と、一対の長側板１６，１８と、一対の第１折曲片２２，２４と、一対の第２折曲片２６，２８と、を備える。底板１０は、四角形の平板形状を有する。
【００１６】
底板１０の一対の短辺のそれぞれには、一対の短側板１２，１４が直接的に連結されている。一対の短側板１２，１４は、互いに対向している。各短側板１２，１４は、台形の平板形状を有する。各短側板１２，１４は、左右方向の長さが上方に向かって長くなるように配置されている。各短側板１２，１４は、底板１０に対して、鈍角に接続されている。このため、一対の短側板１２，１４の間隔は、上方に向かって広くなる。
【００１７】
底板１０の一対の長辺のそれぞれには、一対の長側板１６，１８が直接的に連結されている。一対の長側板１６，１８は、互いに対向している。長側板１６の前端辺には短側板１２の左端辺が連結されている。長側板１６と短側板１２とは、接着片３２によって連結されている。接着片３２は、長側板１６の前端辺に直接的に連結されている。接着片３２は、短側板１２の内面に接着剤（図４の接着片３２内の斜線部分）によって接着されている。長側板１６の後端辺には短側板１４の左端辺が連結されている。長側板１６と短側板１４とは、接着片３４によって連結されている。接着片３４は、長側板１６の後端辺に直接的に連結され、短側板１４の内面に接着剤（図４の接着片３４内の斜線部分）によって接着されている。
【００１８】
長側板１８の前端辺には短側板１２の右端辺が連結されている。長側板１８と短側板１２とは、接着片３６によって連結されている。接着片３６は、長側板１８の前端辺に直接的に連結されている。接着片３６は、短側板１２の内面に接着剤（図４の接着片３６内の斜線部分）によって接着されている。長側板１８の後端辺には短側板１４の右端辺が連結されている。長側板１８と短側板１４とは、接着片３８によって連結されている。接着片３８は、長側板１８の後端辺に直接的に連結され、短側板１４の内面に接着剤（図４の接着片３８内の斜線部分）によって接着されている。
【００１９】
各長側板１６，１８は、台形の平板形状を有する。各長側板１６，１８は、前後端の短側板１２，１４の傾斜に合わせて、前後方向の長さが上方に向かって長くなるように配置されている。各長側板１６，１８は、短側板１２，１４の左右両端辺に沿って、底板１０に対して、鈍角に接続されている。一対の長側板１６，１８の間隔は、上方に向かって広くなる。
【００２０】
４枚の側板１２，１４，１６，１８は、底板１０の周囲を連続的に一巡して、底板１０を囲む。側板１２，１４，１６，１８で囲まれる領域の上下方向に垂直な断面の面積は、上方に向かって徐々に大きくなる。このため、トレー１００の上端開口は、底板１０よりも広い。
【００２１】
短側板１２の上端辺には、第１折曲片２２が直接的に連結されている。第１折曲片２２は、短側板１２に対して回動可能に接続されている。第１折曲片２２と短側板１２との境界５２には、その左右両端に、切欠き５２ａが配置されている。切欠き５２ａは、境界５２近傍の第１折曲片２２と短側板１２とを貫通する。切欠き５２ａは、左右方向に延びている。第１折曲片２２は、平板形状を有する。第１折曲片２２では、左右方向の中央部分における前後方向の長さが、左右方向の両端における前後方向の長さよりも短い。
【００２２】
短側板１４の上端辺には、第１折曲片２４が直接的に連結されている。第１折曲片２４は、短側板１４に対して回動可能に接続されている。第１折曲片２４と短側板１４との境界５４には、その左右両端に、切欠き５４ａが配置されている。切欠き５４ａは、境界５４近傍の第１折曲片２４と短側板１４とを貫通する。切欠き５４ａは、左右方向に延びている。第１折曲片２４は、第１折曲片２２と同一形状を有する。
【００２３】
長側板１６の上端辺には、第２折曲片２６が直接的に連結されている。第２折曲片２６は、長側板１６に対して回動可能に接続されている。第２折曲片２６と長側板１６との境界５６には、前後方向の中間位置に、２個のスリット５６ａが配置されている。スリット５６ａは、境界５６から長側板１６側にずれた位置で、長側板１６を貫通している。スリット５６ａは、前後方向に延びている。２個のスリット５６ａは、互いに離間している。これにより、第２折曲片２６と長側板１６との境界５６は、前後方向において、部分的に切断されている。
【００２４】
長側板１８の上端辺には、第２折曲片２８が直接的に連結されている。第２折曲片２８は、長側板１８に対して回動可能に接続されている。第２折曲片２８と長側板１８との境界５８には、前後方向の中間位置に、２個のスリット５８ａが配置されている。スリット５８ａは、スリット５６ａと同様に、長側板１８を貫通している。第２折曲片２８と長側板１８との境界５８は、前後方向において、部分的に切断されている。
【００２５】
第２折曲片２６は、前端において、連結片６２を介して、第１折曲片２２に連結されている。連結片６２は、第２折曲片２６の前端辺に回動可能に直接的に連結されている。連結片６２は平板形状を有する。連結片６２は、第１折曲片２２の左端辺まで延びている。連結片６２の第１折曲片２２側の端辺には、接着片７２が回動可能に直接的に連結されている。接着片７２は、第１折曲片２２の内面に接着剤（図４の接着片７２内の斜線部分）によって接着されている。
【００２６】
第２折曲片２６の後端には、連結片６２及び接着片７２と同様の連結片６４及び接着片７４が配置されている。第２折曲片２６は、後端において、連結片６４を介して、第１折曲片２４に連結されている。
【００２７】
第２折曲片２８の前端には、連結片６２及び接着片７２と同様の連結片６６及び接着片７６が配置されている。第２折曲片２８は、前端において、連結片６６を介して、第１折曲片２２に連結されている。第２折曲片２８の後端には、連結片６２及び接着片７２と同様の連結片６８及び接着片７８が配置されている。第２折曲片２８は、後端において、連結片６８を介して、第１折曲片２４に連結されている。
【００２８】
接着片７２は、下方に位置する接着片３２と一体的に連続している。接着片３２と接着片７２とは、境界５２の切欠き５２ａを跨いで連続している。同様に、接着片７４は、下方に位置する接着片３４と、切欠き５２ａを跨いで一体的に連続しており、接着片７６は、下方に位置する接着片３６と、切欠き５４ａを跨いで一体的に連続しており、接着片７８は、下方に位置する接着片３８と、切欠き５４ａを跨いで一体的に連続している。
【００２９】
次いで、トレー１００の延伸状態と折曲状態とについて説明する。図５はトレー１００が延伸状態である場合の正面斜視図であり、図６はトレー１００が延伸状態である場合の平面図である。使用者は、トレー１００を、延伸状態と折曲状態とに変形可能である。トレー１００が延伸状態である場合には、第１折曲片２２，２４のそれぞれが、短側板１２，１４のそれぞれの上方に延びて、短側板１２，１４のそれぞれに対して同一平板上に位置する。同様に、第２折曲片２６，２８のそれぞれが、長側板１６，１８のそれぞれの上方に延びて、長側板１６，１８のそれぞれに対して同一平板上に位置する。なお、トレー１００の各部の撓みによって、厳密に同一平板上に位置しない場合もあり得る。
【００３０】
このとき、連結片６２は、下方に位置する短側板１２と長側板１６との境界の角部８２の延長線上の屈曲線６２ａで屈曲している。同様に、連結片６４は、短側板１２と長側板１８との境界の角部８４の延長線上の屈曲線６４ａで屈曲しており、連結片６６は、短側板１４と長側板１６との境界の角部８６の延長線上の屈曲線６６ａで屈曲しており、連結片６８は、短側板１４と長側板１８との境界の角部８８の延長線上の屈曲線６８ａで屈曲している。
【００３１】
トレー１００を延伸状態から折曲状態に変形させる場合、使用者は、第１折曲片２２，２４のそれぞれを、短側板１２，１４のそれぞれに対して、トレー１００の内側に倒れるように境界５２，５４を回転軸にして回動させる。これとともに、第２折曲片２６，２８のそれぞれを、長側板１６，１８のそれぞれに対して、トレー１００の外側に倒れるように境界５６，５８を回転軸にして回動させる。この結果、図７に示すように、第１折曲片２２，２４が、長側板１６，１８に近接するように折り曲げられる。図７の中間状態では、連結片６２，６４，６６，６８は、屈曲線６２ａ，６４ａ，６６ａ，６８ａで屈曲されずに延びており、第２折曲片２６，２８との境界で折り曲げられている。図７に示す状態から、さらに、第２折曲片２６，２８のそれぞれを長側板１６，１８のそれぞれに対して回動させることによって、図１に示す折曲状態に変形される。
【００３２】
折曲状態では、第２折曲片２６，２８のそれぞれは、長側板１６，１８のそれぞれに対して、トレー１００の外側に折り返して配置されている。第２折曲片２６は、長側板１６の外面に対向して配置されており、第２折曲片２８は、長側板１８の外面に対向して配置されている。連結片６２は、第１折曲片２２との境界、即ち、接着片７２との境界で第２折曲片２６に沿って折り曲げられている。この結果、連結片６２は、第１折曲片２２から下方に延びて、第２折曲片２６の外側で第２折曲片２６に重複している。同様に、連結片６４は、第１折曲片２４との境界、即ち、接着片７４との境界で第２折曲片２６に沿って折り曲げられ、第１折曲片２４から下方に延びて、第２折曲片２６の外側で第２折曲片２６に重複している。連結片６６，６８のそれぞれは、第１折曲片２２，２４との境界、即ち、接着片７６，７８のそれぞれの境界で第２折曲片２８に沿って折り曲げられている。この結果、連結片６６，６８は、第１折曲片２２，２４から下方に延びて、第２折曲片２８の外側で第２折曲片２８に重複している。
【００３３】
第１折曲片２２，２４は、短側板１２，１４に対して屈曲して配置されている。第１折曲片２２は、接着片７２を介して、長側板１６の上辺に当接し、接着片７６を介して、長側板１８の上辺に当接している。これにより、第１折曲片２２は、長側板１６，１８によって支持されている。第１折曲片２４も同様に、接着片７４を介して、長側板１６の上辺に当接し、接着片７８を介して、長側板１８の上辺に当接している。これにより、第１折曲片２４は、長側板１６，１８によって支持されている。
【００３４】
この構成によれば、折曲状態では、第１折曲片２２，２４によって、短側板１２，１４が撓むことを抑制することができる。また、長側板１６，１８は、第２折曲片２６，２８が重複して配置されているため、一枚で配置されている場合と比較して、撓みにくい。これにより、トレー１００を安定して維持することができる。さらに、第１折曲片２２，２４と第２折曲片２６，２８の連結構造によって、短側板１２，１４と長側板１６，１８の角部８２，８４，８６，８８が拡がることを抑制することができる。
【００３５】
また、第１折曲片２２は、連結片６２，６６及び第２折曲片２６，２８に連結されることによって、短側板１２に対して上方に回動することが抑制されている。第１折曲片２４も同様に、短側板１４に対して上方に回動することが抑制されている。また、第１折曲片２２，２４のそれぞれは、長側板１６，１８に当接することによって、短側板１２，１４のそれぞれに対して下方に回動することが抑制されている。これにより、トレー１００を安定して折曲状態に維持することができる。
【００３６】
また、第１折曲片２２，２４のそれぞれが、短側板１２，１４のそれぞれから離間するのに従って左右方向の長さが短くなるように、左右端辺が傾斜している。このため、第２折曲片２６，２８が延伸状態から折曲状態に折り曲げられる際に、第２折曲片２６，２８が、第１折曲片２２，２４の左右端辺の形状に合わせて、トレー１００の内側に湾曲した状態で折り曲げられる。これにより、第２折曲片２６，２８が、長側板１６，１８に対して上方に回動することを抑制することができる。
【００３７】
また、トレー１００が延伸状態である場合、図８に示すように、複数個のトレー１００を積み重ねたときに、上側のトレー１００が下側のトレー１００内に収容される。これにより、積み重ねたときの高さを低くすることができる。一方で、トレー１００が折曲状態である場合には、底板１０の前後方向（即ち長手方向）の長さが、第１折曲片２２，２４の前後方向の間隔よりも長い。このため、図９に示すように、複数個のトレー１００を積み重ねて配置することができる。このとき、第２折曲片２６，２８の上端にスリット５６ａ，５８ａによる突起５６ｂ、５８ｂが形成されている。これにより、上段に積み重ねられたトレー１００が左右方向にずれることを抑制することができる。
【００３８】
この構成では、例えば、食品をトレー１００に収容して出荷する状況において、トレー１００に食品を収容する前では、トレー１００を延伸状態で重ねておくことによって、食品収容前のトレー１００を省スペースで配置することができる。また、トレー１００を延伸状態から折曲状態に変形させて、食品を収容した後、折曲状態のトレー１００を重ねておくことによって、食品収容後のトレー１００を平面上に並べて配置せずに済む。
【００３９】
（第２実施例）
第２実施例のトレー２００について、第１実施例のトレー１００と異なる点を説明する。なお、トレー１００と対応する箇所には、第１実施例と同一の符号を付して説明を省略する。図１０はトレー２００の折曲状態の正面斜視図を、図１１はトレー２００の延伸状態の正面斜視図を、図１２はトレー２００の展開図を、それぞれ示す。トレー２００では、第１折曲片２２２が、トレー１００の第１折曲片２２よりも短側板１２に離間する方向に長い。第１折曲片２２２は、開口２２２ａを有する。開口２２２ａは、円形を有している。開口２２２ａの半分は、フラップ２２２ｂによって閉じられている。なお、フラップ２２２ｂは、開口２２２ａが容易に全開するように、配置されている。
【００４０】
折曲状態では、第１折曲片２２２が底板１０に対して平行に配置される。折曲状態では、開口２２２ａに飲物等の容器を配置することができる。これにより、第１折曲片２２２の開口２２２ａに飲物を配置し、第１折曲片２４側に食べ物を配置するように、異なる２種類の対象物を配置することができる。
【００４１】
なお、各境界５２，５４，５６，５８には、折り曲げ易いように、スリットが形成されている。スリット５６ａ，５８ａのそれぞれは、境界５６，５８のそれぞれの上に位置する。同様に、折曲線上には、折り曲げ易いように、スリットが形成されている場合がある。
【００４２】
（第３実施例）
第３実施例のトレー３００について、第２実施例のトレー２００と異なる点を説明する。なお、トレー１００と対応する箇所には、第１実施例と同一の符号を付して説明を省略する。図１３はトレー３００の折曲状態の正面斜視図を、図１４はトレー３００の延伸状態の正面斜視図を、図１５はトレー３００の展開図を、それぞれ示す。
【００４３】
トレー３００では、第１折曲片３２２は、左右方向に並ぶ２個の開口３２２ａを有する。開口３２２ａは、円形を有している。この構成によれば、飲物の容器を２個並べて配置することができる。
【００４４】
（第４実施例）
第４実施例のトレー４００について、第１実施例のトレー１００と異なる点を説明する。トレー１００と対応する箇所には、第１実施例と同一の符号を付して説明を省略する。図１６はトレー４００の折曲状態の正面斜視図を、図１７はトレー４００の折曲状態の平面図を、図１８はトレー４００の延伸状態の正面斜視図を、図１９はトレー４００の延伸状態の平面図を、図２０はトレー４００の展開図を、それぞれ示す。
【００４５】
トレー４００は、折曲状態では、トレー１００と同様の形状を有する。一方、延伸状態では、トレー４００は、平面視で略八角形形状を有する。具体的には、長側板１６は、前後方向の端部のそれぞれにおいて、屈曲線１６ｂによって屈曲している。この結果、延伸状態では、長側板１６の前後両端に略三角形の部分板１６ａが画定される。長側板１８も同様に、屈曲線１８ｂで屈曲し、部分板１８ａが画定される。
【００４６】
第２折曲片２６は、屈曲線１６ｂの延長線上の屈曲線２６ｂを有する。これにより、延伸状態では、第２折曲片２６の前後両端に略三角形の部分片２６ａが画定される。第２折曲片２８は、屈曲線１８ｂの延長線上の屈曲線２８ｂを有する。これにより、延伸状態では、第２折曲片２８の前後両端に略三角形の部分片２８ａが画定される。
【００４７】
延伸状態では、前側の部分片２６ａは、連結片６２と同一平面上に位置し、後側の部分片２６ａは、連結片６４と同一平面上に位置する。同様に、延伸状態では、前側の部分片２８ａは、連結片６６と同一平面上に位置し、後側の部分片２８ａは、連結片６８と同一平面上に位置する。延伸状態では、連結片６２，６４，６６，６８は、屈曲されずに平板形状で維持されている。
【００４８】
延伸状態から折曲状態に変形される場合には、長側板１６，１８を屈曲された状態から平板形状に変形させるとともに、第２折曲片２６，２８を屈曲させた状態から平板形状に変形させる。その状態で、トレー１００と同様に、第１折曲片２２，２４及び第２折曲片２６，２８を折り曲げることによって、延伸状態から折曲状態に変形することができる。
【００４９】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００５０】
（１）上記の実施例では、折曲状態において、第２折曲片２６，２８のそれぞれは、長側板１６，１８のそれぞれの外面に対向している。しかしながら、図２１に示すように、第２折曲片２６，２８のそれぞれを、長側板１６，１８のそれぞれの内面に対向して配置してもよい。この場合、トレー１００の外側に位置する長側板１６，１８の上方に突起５６ｂ，５８ｂが位置するように、スリット５６ａ，５８ａを第２折曲片２６，２８側に配置してもよい。この構成によれば、折曲状態において、トレー１００の外面の上端に凹状の切欠きが配置されない。これにより、例えば、トレー１００の外面に色や模様を印刷する際に、切欠きによって色や模様が途切れてしまう事態を回避することができる。
【００５１】
上記の変形例では、図２２に示すように、連結片６２，６４，６６，６８が、第１実施例のトレー１００と比較して小さくされていてもよい。この構成によれば、延伸状態と折曲状態との間で変形させる際に、連結片６２，６４，６６，６８を変形させ易くすることができる。
【００５２】
（２）上記の各実施例では、第１折曲片２２，２４は、短側板１２，１４のそれぞれに連結されている。しかしながら、第１折曲片２２，２４のいずれか一方のみであってもよい。この場合、第２折曲片２６，２８は、トレー１００等の前後方向の全長に亘って配置されていなくてもよい。例えば、第１折曲片２２のみが配置されている場合、第２折曲片２６，２８は、トレー１００等の前端部分にのみ配置されていてもよい。
【００５３】
（３）上記の各実施例では、第２折曲片２６，２８は、トレー１００等の前後方向の全長に亘って配置されている。しかしながら、第２折曲片２６，２８は、前後方向の端部のみに配置されていてもよい。即ち、第２折曲片２６，２８のそれぞれは、トレー１００等の前後方向の端部のそれぞれに配置されていてもよい。
【００５４】
（４）上記の各実施例では、トレー１００等の底板１０は、四角形形状を有する。しかしながら、五角形以上の多角形形状を有していてもよい。例えば、底板１０は、ホームベース形状を有していてもよい。この場合、互いに直角に位置する三枚の側板のうちの中央の第１側板の上端に第１折曲片を配置し、第１側板の両端に連結されている第２側板の上端に第２折曲片を配置してもよい。
【００５５】
（５）トレーの材料は、紙に限定されない。プラスチック等の樹脂製であってもよい。また、紙と樹脂等の異なる材料が重なり合う材料で作製されていてもよい。
【００５６】
（６）上記の各実施例では、接着剤によって、各接着片が接着されている。しかしながら、接着片と側板との接合は、接着剤以外に、接着テープ等によって接合されていてもよい。
【００５７】
（７）上記の各実施例では、短側板１２，１４に第１折曲片２２，２４が連結され、長側板１６，１８に第２折曲片２６，２８が連結されている。しかしながら、長側板１６，１８に内側に折り曲げられる第１折曲片が連結されており、短側板１２，１４に第２折曲片が連結されていてもよい。本変形例では、長側板１６，１８が「第１側板」の一例であり、短側板１２，１４が「第２側板」の一例である。
【００５８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５９】
１０      ：底板
１２，１４：短側板
１６，１８：長側板
２２，２４：第１折曲片
２６，２８：第２折曲片
３２，３４，３６，３８：接着片
５２ａ，５４ａ：切欠き
５６ａ，５８ａ：スリット
６２，６４，６６，６８：連結片
７２，７４，７６，７８：接着片
１００，２００，３００，４００：トレー
ＢＬ１    ：ブランク
【図１】
2018047939.tif 000003
【図２】
2018047939.tif 000004
【図３】
2018047939.tif 000005
【図４】
2018047939.tif 000006
【図５】
2018047939.tif 000007
【図６】
2018047939.tif 000008
【図７】
2018047939.tif 000009
【図８】
2018047939.tif 000010
【図９】
2018047939.tif 000011
【図１０】
2018047939.tif 000012
【図１１】
2018047939.tif 000013
【図１２】
2018047939.tif 000014
【図１３】
2018047939.tif 000015
【図１４】
2018047939.tif 000016
【図１５】
2018047939.tif 000017
【図１６】
2018047939.tif 000018
【図１７】
2018047939.tif 000019
【図１８】
2018047939.tif 000020
【図１９】
2018047939.tif 000021
【図２０】
2018047939.tif 000022
【図２１】
2018047939.tif 000023
【図２２】
2018047939.tif 000024
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
底板と、
前記底板の各辺に連結されており、前記底板の周囲を囲む複数枚の側板と、
前記複数枚の側板のうち、第１側板の上端辺に回動可能に連結されている第１折曲片と、
前記第１側板の両側のそれぞれに隣接する第２側板の上端辺に回動可能に連結されている第２折曲片と、
前記第１折曲片の前記第２折曲片側の端辺と前記第２折曲片の前記第１折曲片側の端辺とを連結する連結片と、を備え、
前記第１折曲片が前記第１側板に対して上方に延びており、前記第２折曲片が前記第２側板に対して上方に延びている延伸状態と、前記第１折曲片が前記底板に対向して配置されており、前記第２折曲片が前記第２側板の内面又は外面に対向して配置されている折曲状態と、に変形可能であり、
前記連結片は、前記延伸状態では、前記第１折曲片及び前記第２折曲片とともに前記底板の周方向に並んで配置され、前記折曲状態では、前記第１折曲片の端辺から下方に延びて前記第２折曲片の前記第２側板と反対側に重なって配置される、トレー。
【請求項２】
前記第２側板と前記第２折曲片との境界は、部分的に切断されている、請求項１に記載のトレー。
【請求項３】
前記第１折曲片と前記連結片とは、前記連結片から前記第１折曲片の内面側に延びる接着片によって接着されており、
前記接着片は、前記第１折曲片の前記内面から前記第１側板の内面まで連続的に接着されており、
前記接着片に重複する前記第１側板と前記第１折曲片との境界には、切欠きが配置されている、請求項１又は２に記載のトレー。
【請求項４】
前記底板は、４辺で構成されており、
前記複数枚の側板は、互いに対向する一対の前記第１側板と、前記一対の前記第１側板の両端に位置する一対の前記第２側板と、で構成されている、請求項１から３のいずれか一項に記載のトレー。
【請求項５】
前記折曲状態では、前記一対の前記第１側板に連結されている一対の前記第１折曲片の間隔が、前記底板の長手方向の長さよりも短い、請求項４に記載のトレー。
【請求項６】
前記延伸状態では、前記連結片は、前記第１側板と前記第２側板との間の角部の延長線上で屈曲しており、
前記折曲状態では、前記連結片と前記第１折曲片との境界、及び、前記連結片と前記第２折曲片との境界のそれぞれが屈曲している、請求項１から５のいずれか一項に記載のトレー。
【請求項７】
前記第１折曲片は、開口を有する、請求項１から６のいずれか一項に記載のトレー。